【手続補正書】
【提出日】平成22年8月6日(2010.8.6)
【手続補正１】
【補正対象書類名】特許請求の範囲
【補正対象項目名】全文
【補正方法】変更
【補正の内容】
【特許請求の範囲】
【請求項１】
シートを収納し、収納したシートを給送する給送部と、
入力される画像形成ジョブに基づいて、前記給送部により給送されるシートに画像形成を行う画像形成手段と、
前記画像形成手段により画像形成された複数枚のシートを製本し、冊子を作成する製本部と、
前記製本部で作成された冊子を複数収容する冊子収容手段と、
前記冊子収容手段が冊子を収容できない所定の状態になったことを検知する状態検知手段と、
前記冊子を構成するシートの枚数に基づいて、前記状態検知手段が前記所定の状態になったことを検知した後に前記製本部内で前記収容手段よりも上流側で受け取れるシートの枚数である受け取り可能枚数を予め決定する制御手段と、
を有し、前記制御手段は、前記状態検知手段が前記所定の状態を検出していないときでも、前記給送部から前記冊子収容手段にまでのシート搬送路に存在するシートの枚数が前記受け取り可能枚数以下となる様に、前記給送部によるシートの給送を制限することを特徴とする画像形成システム。
【請求項２】
前記制御手段は、前記冊子を構成するシートの枚数に応じて、前記受け取り可能枚数を変更することを特徴とする請求項１記載の画像形成システム。
【請求項３】
前記冊子収納手段は前記製本部から引き出し可能に構成され、前記状態検知手段は前記冊子収納手段が引き出されたことを前記所定の状態として検知することを特徴とする請求項１記載の画像形成システム。
【請求項４】
前記製本部は、冊子を構成するシートを積載する積載部と、前記積載部に積載されたシートの束に糊付けを行う糊付け部と、糊付けされたシート束を断裁する断裁部とを有し、前記状態検知手段が前記所定の状態になったことを検知した後、前記製本部は、前記積載部、前記糊付け部、前記断裁部のそれぞれで、シートを受け取ることを特徴とする請求項１記載の画像形成システム。
【請求項５】
画像形成された複数枚のシートを製本し、冊子を作成する製本部と、前記製本部で作成された冊子を複数収容する冊子収容手段とを有する製本装置にシートを受け渡す画像形成装置において、
シートを収納し、収納したシートを給送する給送部と、
入力される画像形成ジョブに基づいて、前記給送部により給送されるシートに画像形成を行う画像形成手段と、
前記冊子収容手段が冊子を収容できない所定の状態になったことを検知する状態検知手段と、
冊子を構成するシートの枚数に基づいて、前記状態検知手段が前記所定の状態になったことを検知した後に前記製本部内で前記収容手段よりも上流側で受け取れるシートの枚数である受け取り可能枚数を予め決定する制御手段と、
を有し、前記制御手段は、前記状態検知手段が前記所定の状態を検知していないときでも前記給送部から前記冊子収容手段にまでのシート搬送路に存在するシートの枚数が前記受け取り可能枚数以下となる様に、前記給送部によるシートの給送を制限することを特徴とする画像形成装置。
【請求項６】
シートを収納し、収納したシートを給送する給送部と、
入力される画像形成ジョブに基づいて、前記給送部から給送されるシートに画像形成する画像形成手段と、
前記画像形成手段により画像形成されたシートが積載される積載手段と、
前記積載手段に積載されるシートの量が満載を表わす所定量になる所定の状態を検知する状態検知手段と、
前記状態検知手段が前記所定の状態になったことを検知した後に前記積載手段が積載可能なシートの枚数である受け取り可能枚数を予め決定する制御手段と、
を有し、前記制御手段は、前記状態検知手段が前記所定の状態になったことが検知されていないときでも、前記給送部から前記積載手段までのシート搬送路に存在するシートの枚数が前記受け取り可能枚数以下となる様に前記給送部からのシートの給送を制限することを特徴とする画像形成装置。
【請求項７】
前記積載手段は、複数の積載トレイを有し、前記制御手段は、シートが積載されるトレイに応じて前記受け取り可能枚数を決定することを特徴とする請求項６記載の画像形成装置。
【請求項８】
前記積載手段に積載されるシートの量が前記所定量よりも少ない第２の所定量になる第２の所定状態を検知する第２の状態検知手段を有し、
前記制御手段は、前記第２の状態検知手段が前記第２の所定状態を検知するまでは前記給送部からのシートの給送を制限することを行わず、前記第２の状態検知手段が前記第２の所定状態を検知した後に前記給送部からのシートの給送を制限することを行うことを特徴とする請求項６記載の画像形成装置。
【請求項９】
前記制御手段は、前記シート搬送路に存在するシートの枚数が前記受け取り可能枚数に達すると、前記給送部からのシートの給送を停止することを特徴とする請求項６記載の画像形成装置。
【請求項１０】
シートに後処理を行い、後処理されたシートを積載する積載手段を有する後処理装置にシートを受け渡す画像形成装置において、
シートを収納し、収納したシートを給送する給送部と、
前記給送部から給送されるシートに画像形成する画像形成手段と、
前記積載手段に積載されるシートの量が満載を表わす所定量になる所定の状態を検知する状態検知手段と、
前記状態検知手段が前記所定の状態になったことを検知した後に前記後処理装置が前記画像形成装置から受け取れるシートの枚数である受け取り可能枚数を予め決定する制御手段と、
を有し、前記制御手段は、前記状態検知手段が前記所定の状態を検知していないときでも、前記給送部から前記収容部までのシート搬送路に存在するシートの枚数が前記受け取り可能枚数以下となる様に前記給送部からのシートの給送を制限することを特徴とする画像形成装置。
【手続補正２】
【補正対象書類名】明細書
【補正対象項目名】００１４
【補正方法】変更
【補正の内容】
【００１４】
上記の課題を解決するために、本発明の画像形成システムは、シートを収納し、収納したシートを給送する給送部と、入力される画像形成ジョブに基づいて、前記給送部により給送されるシートに画像形成を行う画像形成手段と、前記画像形成手段により画像形成された複数枚のシートを製本し、冊子を作成する製本部と、前記製本部で作成された冊子を複数収容する冊子収容手段と、前記冊子収容手段が冊子を収容できない所定の状態になったことを検知する状態検知手段と、前記冊子を構成するシートの枚数に基づいて、前記状態検知手段が前記所定の状態になったことを検知した後に前記製本部内で前記収容手段よりも上流側で受け取れるシートの枚数である受け取り可能枚数を予め決定する制御手段と、を有し、前記制御手段は、前記状態検知手段が前記所定の状態を検出していないときでも、前記給送部から前記冊子収容手段にまでのシート搬送路に存在するシートの枚数が前記受け取り可能枚数以下となる様に、前記給送部によるシートの給送を制限することを特徴とする。
【手続補正３】
【補正対象書類名】明細書
【補正対象項目名】００１５
【補正方法】変更
【補正の内容】
【００１５】
また、本発明の画像形成装置は、画像形成された複数枚のシートを製本し、冊子を作成する製本部と、前記製本部で作成された冊子を複数収容する冊子収容手段とを有する製本装置にシートを受け渡す画像形成装置において、シートを収納し、収納したシートを給送する給送部と、入力される画像形成ジョブに基づいて、前記給送部により給送されるシートに画像形成を行う画像形成手段と、前記冊子収容手段が冊子を収容できない所定の状態になったことを検知する状態検知手段と、冊子を構成するシートの枚数に基づいて、前記状態検知手段が前記所定の状態になったことを検知した後に前記製本部内で前記収容手段よりも上流側で受け取れるシートの枚数である受け取り可能枚数を予め決定する制御手段と、を有し、前記制御手段は、前記状態検知手段が前記所定の状態を検知していないときでも前記給送部から前記冊子収容手段にまでのシート搬送路に存在するシートの枚数が前記受け取り可能枚数以下となる様に、前記給送部によるシートの給送を制限することを特徴とする。
【手続補正４】
【補正対象書類名】明細書
【補正対象項目名】００１６
【補正方法】変更
【補正の内容】
【００１６】
また、本発明の画像形成装置は、シートを収納し、収納したシートを給送する給送部と、入力される画像形成ジョブに基づいて、前記給送部から給送されるシートに画像形成する画像形成手段と、前記画像形成手段により画像形成されたシートが積載される積載手段と、前記積載手段に積載されるシートの量が満載を表わす所定量になる所定の状態を検知する状態検知手段と、前記状態検知手段が前記所定の状態になったことを検知した後に前記積載手段が積載可能なシートの枚数である受け取り可能枚数を予め決定する制御手段と、を有し、前記制御手段は、前記状態検知手段が前記所定の状態になったことが検知されていないときでも、前記給送部から前記積載手段までのシート搬送路に存在するシートの枚数が前記受け取り可能枚数以下となる様に前記給送部からのシートの給送を制限することを特徴とする。
【手続補正５】
【補正対象書類名】明細書
【補正対象項目名】００１７
【補正方法】変更
【補正の内容】
【００１７】
また、本発明の画像形成装置は、シートに後処理を行い、後処理されたシートを積載する積載手段を有する後処理装置にシートを受け渡す画像形成装置において、シートを収納し、収納したシートを給送する給送部と、前記給送部から給送されるシートに画像形成する画像形成手段と、前記積載手段に積載されるシートの量が満載を表わす所定量になる所定の状態を検知する状態検知手段と、前記状態検知手段が前記所定の状態になったことを検知した後に前記後処理装置が前記画像形成装置から受け取れるシートの枚数である受け取り可能枚数を予め決定する制御手段と、を有し、前記制御手段は、前記状態検知手段が前記所定の状態を検知していないときでも、前記給送部から前記収容部までのシート搬送路に存在するシートの枚数が前記受け取り可能枚数以下となる様に前記給送部からのシートの給送を制限することを特徴とする。
【手続補正６】
【補正対象書類名】明細書
【補正対象項目名】００８１
【補正方法】変更
【補正の内容】
【００８１】
以上のように、くるみ製本装置６００においては、受け取り可能領域が束単位で決まるので、積載フルアラームの検知後の受け取り可能シート枚数は、表紙にくるまれるシート束枚数（以後、中紙枚数）により変化する。中紙となるシート束は、シート積載トレイ６２０、糊付けグリッパ６２３及びトリムグリッパ６１２の３箇所に収容可能であり、表紙は接着部Ｃとトリムグリッパ６１２に１枚ずつ収納可能である。従って、受け取り可能シート枚数は、
受け取り可能シート枚数＝中紙枚数Ｎ×３＋表紙２枚
という計算式で算出できる。
【手続補正７】
【補正対象書類名】明細書
【補正対象項目名】００８３
【補正方法】変更
【補正の内容】
【００８３】
これにより、積載フルアラームの検知時点で画像形成システムの搬送路に存在するシートをくるみ製本装置６００が受け取ることが可能となる。
【手続補正８】
【補正対象書類名】明細書
【補正対象項目名】００９０
【補正方法】変更
【補正の内容】
【００９０】
ステップＳ１００２では、ＣＰＵ回路部９００は、印刷ジョブの全てのシート出力動作が完了しているかチェックし、出力途中であればステップＳ１００３へ進み、全出力動作が完了していたらステップＳ１００８へ進みシステムの停止処理を行う。ステップＳ１００３では、ＣＰＵ回路部９００は、後処理装置制御部９５１との通信により排出先の後処理装置のアラーム発生をチェックする。ＣＰＵ回路部９００は、アラーム状態が発生していたらステップＳ１００８へ進み、システムの停止処理を行い、アラーム状態が発生していなければステップＳ１００４へ進む。ステップＳ１００４では、ＣＰＵ回路部９００は、排出先の後処理装置が、像形成開始時からシート搬送枚数制限を行わなくても良い後処理装置であるか否かを判断する。具体的には、排出先の後処理装置が、シート搬送枚数制限の実行タイミングを積載フルニアアラームの検知後に行うことが可能な後処理装置か否かを判断する。この判断は、ＲＯＭ９０１或いはＲＡＭ９０２に格納されている各後処理装置の情報に基づいて行われる。シート搬送枚数制限の実施タイミングの遅延が可能な装置ならばステップＳ１００５へ進み、出来ない装置ならばステップＳ１００６へ進む。